(57)【要約】【課題】  任意の保冷パックを使用可能でその保冷性を向上させ、通気性や肌触りが良好で、低コストで生産でき、枕への取り外しが容易な保冷パック取付用枕パッドの提供。【解決手段】  立体編物からなる第一生地２０と、第一生地２０に対応する大きさの立体編物からなり該第一生地に固定される第二生地３０と、枕９２に固定するための取付部である取付バンド６１，６２と、を備え、第一生地２０と第二生地３０との間に保冷パック９２を出し入れ可能なポケット４０とポケット４０の出入り口に保冷パック９１の脱落を防止する脱落防止生地５０を形成する。【選択図】図１
2013150726.tif 000002
【特許請求の範囲】
【請求項１】
表裏二層の編地と該二層の編地を連結する連結糸から構成される立体編物からなる第一生地と、
前記立体編物からなり前記第一生地に固定される第二生地と、
枕に固定するための取付部と、を備え、
前記第一生地と前記第二生地との間に保冷パックを出し入れ可能なポケットが形成されることを特徴とする保冷パック取付用枕パッド。
【請求項２】
前記ポケットの出入り口に保冷パックの脱落防止部を設けたことを特徴とする請求項１に記載の保冷パック取付用枕パッド。
【請求項３】
前記第一生地において、前記第二生地が固定される面の反対面に外生地を設けることを特徴とする請求項１または２に記載の保冷パック取付用枕パッド。
【発明の詳細な説明】
【技術分野】
【０００１】
本発明は、任意の枕に着脱自在な枕用パッドであって、保冷パックを出し入れ可能な保冷パック取付用枕パッドの提供に関するものである。
【背景技術】
【０００２】
特許文献１に記載の発明は、枕体へ外装する枕カバーにおいて、カバー本体に、氷、冷水、化該物質等の冷却体を収めた収容物を入れるためのポケット部を備えたことを特徴とする枕カバーである。
【０００３】
特許文献２に記載の発明は、人体の頭部を冷却するための冷熱ゲル枕を前提とし、この冷熱ゲル枕が、水、吸水性ポリマー及び不凍剤を必須構成成分とする含水ゲルを偏平状袋体内に封入し、その結果、前記冷熱ゲル枕の厚さを従来のものと比較して薄く構成されていると共に、当該冷熱ゲルシートを枕カバーの収納部に挿脱自在に収納することにより、使用時の違和感やズレ等を極力制御し、特に、枕と重ねて使用しても異和感がなく、使用感や頭部へのフィット感を向上させる上、安価で取り扱い性に優れ、しかも過剰冷却による頭痛等の障害を防止させた安全性の高い冷熱ゲル枕を提供することを目的とするものであって、人体の頭部を冷却するための冷熱ゲルシートと、この冷熱ゲルシートを収納する枕カバーとからなり、前記冷熱ゲルシートが水、吸水性ポリマー及び不凍剤を必須構成成分とする含水ゲルを偏平状袋体内に封入して形成されてなり、しかも前記枕カバーには冷熱ゲルシートを挿脱自在に収納する収納部が形成されていることを特徴とする冷熱ゲル枕である。
【０００４】
特許文献３に記載の発明は、フィット感に優れ、かつ寝返りしやすい枕カバー材を提供することを課題とし、表裏二層の編地と、該二層の編地を連結する連結糸から構成された立体編物で構成された枕カバー材であって、立体編物２．５４ｃｍ平方（６．４５ｃｍ2）の面積中にある連結糸の本数をＮ（本／６．４５ｃｍ2）、連結糸のｄｔｅｘをＴ（ｇ／１×１０6ｃｍ）、連結糸の比重をρ0（ｇ／ｃｍ3）とした時、立体編物２．５４ｃｍ平方（６．４５ｃｍ2）の面積中にある連結糸の総断面積（Ｎ・Ｔ／１×１０6・ρ0）が０．０２〜０．１８ｃｍ2であることを特徴とする枕カバー材である。
【先行技術文献】
【特許文献】
【０００５】
【特許文献１】実開昭６１−０７７８６９号公報
【特許文献２】特開２００２−２３３４４２号公報
【特許文献３】特開２００７−２１５７８９号公報
【発明の概要】
【発明が解決しようとする課題】
【０００６】
しかしながら、特許文献１の発明や特許文献２の発明は、通気性や低コスト化、枕への取り外しの容易性などの観点から改良の余地がある。また、特許文献３の発明によっては立体編物の使用によりフィット感が改善されるが、保冷パックを使用することができない他、保冷性能の観点が皆無である。
【０００７】
そこで本発明は、任意の保冷パックを使用可能でその保冷性を向上させ、通気性や肌触りが良好で、低コストで生産でき、枕への取り外しが容易な保冷パック取付用枕パッドを提供することを課題とする。
【課題を解決するための手段】
【０００８】
上記の課題に鑑みて、本発明は、表裏二層の編地と該二層の編地を連結する連結糸から構成される立体編物からなる第一生地と、前記立体編物からなり前記第一生地に固定される第二生地と、枕に固定するための取付部と、を備え、前記第一生地と前記第二生地との間に保冷パックを出し入れ可能なポケットが形成されることを特徴とする保冷パック取付用枕パッドである。
【０００９】
また、本発明は、前記ポケットの出入り口に保冷パックの脱落防止部を設けたことを特徴とする保冷パック取付用枕パッドである。
【００１０】
また、本発明は、前記第一生地において、前記第二生地が固定される面の反対面に外生地を設けることを特徴とする保冷パック取付用枕パッドである。
【００１１】
本発明における保冷パックとは、保冷剤を被覆しパック状にした、一般に流通するものである。これは使用者が家庭で冷蔵庫・冷凍庫により冷やして繰り返し使用することができるものであり、任意のものを本発明品に使用することができる。
【００１２】
前記立体編物とは、表裏二層の編地と該二層の編地を連結する連結糸から構成される立体編物であり、ダブルラッセルにより編まれた、いわゆるハニカムメッシュ、立体メッシュなどと呼ばれるメッシュ状の立体編物である。
【００１３】
前記外生地は任意の素材の布地を用いることができる。柔軟な素材であることが望ましく、また、肌触りの良好なものや、不透水性機能を有するものであっても望ましい。
【００１４】
前記ポケットは任意の箇所に設けることができる。該ポケットの長手中心線を前記第一生地の長手中心線よりずらした位置に設けることとしてもよい。
【００１５】
前記脱落防止手段として、前記ポケットの出入り口に該ポケットに対向して袋状に設けられる着脱生地が挙げられるが、これに限らず、ファスナー、面ファスナーやボタン等を用いることもできる。
【００１６】
前記取付手段として、前記第一生地または前記第二生地の二つの長端辺に懸架して設けられる伸縮性のあるゴムバンド等が挙げられる。このゴムバンドは二本程度を設けることが考えられるが、一本や三本としてもよい。また、前記第一生地または前記第二生地の四つ角において、それぞれ斜めに懸架して設けることとしてもよい。
【発明の効果】
【００１７】
本発明による保冷パック取付用枕パッドによれば、任意の手持ちの枕に保冷パックを固定して使用することができる。前記第一生地および前記第二生地として立体編物を使用するため、通気性や肌触りが良好となり適度なクッション性をもたせることができる他、使用する保冷パックの保冷性の向上を図ることができる。また、本発明の保冷パック取付用枕パッドは簡易な構造であることから、生産コストの低減や収納時の便宜が図られる。
【図面の簡単な説明】
【００１８】
【図１】本発明実施例の保冷パック取付用枕パッド１を示す平面図である。
【図２】同実施例の保冷パック取付用枕パッド１を示す底面図である。
【図３】同実施例の保冷パック取付用枕パッド１における第一生地２０と脱落防止生地５０との関係を示す平面図である。
【図４】同実施例の保冷パック取付用枕パッド１に保冷パック９１を入れた状態の平面図である。
【図５】同実施例の保冷パック取付用枕パッド１のＡ−Ａ線における断面図である。
【図６】同実施例の保冷パック取付用枕パッド１を枕９２に装着した状態のＢ−Ｂ線における断面図である。
【図７】同実施例の保冷パック取付用枕パッド１の取付バンド６１，６２を折り返した状態の図である。（ａ）は平面図であり、（ｂ）は底面図である。
【図８】保冷パック取付用枕パッド１の保冷効果を確かめる試験結果である表１をグラフに示したものである。
【発明を実施するための形態】
【００１９】
本発明の好適な一実施形態である保冷パック取付用枕パッド１について図面を参照して説明する。保冷パック取付用枕パッド１は、図１〜図７に示す通り、保冷パック９１を入れ、枕９２に取付け可能なものであって、第一生地２０、第二生地３０、ポケット４０、脱落防止手段である脱落防止生地５０、取付手段である取付バンド６１，６２、および外生地７０を備える。以下、各部について説明する。
【００２０】
第一生地２０は、図１〜図４に示す通り、枕の上面を被覆できる大きさの立体編物の生地である。本実施例では３４０ｍｍ×４９０ｍｍとしている。第一生地２０の二つの長辺を長辺２１，２２とし、二つの短辺を短辺２３，２４とする。
【００２１】
第一生地２０に用いられる立体編物とは、ダブルラッセルにより編まれた、いわゆるハニカムメッシュ、立体メッシュなどと呼ばれるものであり、表裏二層の編地と、その二層の編地を連結する連結糸から構成された立体的な構造を有する経編地である。立体編物は表裏の編地が一定の厚みを有するように連結糸が編まれており、通気性、弾力性に優れ、適度な保温性を有する素材である。また、表地の編糸の太さや織り方、素材等の選択により肌触りを良好なものとすることもできるものである。連結糸は２０〜８００デニールで、モノフィラメント、マルチフィラメント問わず使用可能である。立体編物２．５４ｃｍ平方（６．４５ｃｍ2）の面積中にある連結糸の本数をＮ（本／６．４５ｃｍ2）、連結糸のｄｔｅｘをＴ（ｇ／１×１０6ｃｍ）、連結糸の比重をρ0（ｇ／ｃｍ3）とした時、立体編物２．５４ｃｍ平方（６．４５ｃｍ2）の面積中にある連結糸の総断面積（Ｎ・Ｔ／１×１０6・ρ0）が０．０２〜１．０ｃｍ2とすると好適である。立体編物を構成する繊維としては、ポリエチレンテレフタレート、ポリトリメチレンテレフタレート、ポリブチレンテレフタレート等のポリエステル繊維の他、ポリプロピレンやナイロンその他の合成繊維、天然繊維を用いることができる。本発明における立体編物の厚みは、１ｍｍ〜１５ｍｍが好ましく、２ｍｍ〜３ｍｍがより好ましい。連結糸による厚み方向の空間に空気の層が形成されることにより保温性が生まれるため、本発明における立体編物は適度な厚みを有することが好ましいからである。また、立体編物の目付量は１３０〜５００ｇ／ｍ2が好ましく、１８０〜２４０ｇ／ｍ2がより好ましい。保冷パックによる冷感の伝わり方を適度なものとするために、本発明における立体編物は適度な弾力性を有することが好ましいからである。
【００２２】
第二生地３０は、図１，図２，図４に示す通り、第一生地２０と対応する大きさで第一生地２０と同様の立体編物からなる生地である。第二生地３０の二つの長辺を長辺３１，３２とし、二つの短辺を短辺３３，３４とする。第二生地３０の短辺３４には保冷パック９１を出し入れするための切欠き３５が設けられる（図１，図４，図５参照）。切欠き３５は長辺３１から６０ｍｍ内側の位置から始まり、切欠き３５の間口は１６０ｍｍ、短辺３４からの切欠き深さは７５ｍｍである。
【００２３】
ポケット４０は、第一生地２０および第二生地３０を縫い合わせた三つのミシン目８１〜８３により形成される（図１，図４，図５参照）。ミシン目８１は長辺２１および長辺３１から５０ｍｍ内側の位置にこれらと平行に設けられる。ミシン目８２は長辺２２および長辺３２から１０５ｍｍ内側の位置にこれらと平行に設けられる。ミシン目８３は短辺２３および短辺３３から９０ｍｍ内側の位置にこれらと平行に設けられる。これらのミシン目８１，８２，８３により、第二生地３０と第一生地２０との間に切欠き３５に向かって開口するポケット４０が形成される。
【００２４】
脱落防止生地５０は、ポケット４０に入れる保冷パック９１の脱落防止手段として、第一生地２０および第二生地３０の間に設けられるものである。本実施例では第一生地２０および第二生地３０と同様の立体編物を用いている。脱落防止生地５０は第一生地２０の短辺２４から１５０ｍｍの距離まで設けられ、また、短辺２４から９５ｍｍの位置にミシン目８４により第一生地２０に縫いつけられる。ミシン目８１，８２，８４により、脱落防止生地５０と第一生地２０との間に短辺２３側に向かって開口する小ポケット５１が形成され、これにより、保冷パック９１の一端を規制して脱落防止手段とすることができる。なお、製造においては、脱落防止生地５０は第二生地３０よりも先に第一生地２０に縫いつけられることとなる。保冷パック９１の脱落防止手段としては、脱落防止生地５０の形態に限らず、ファスナー、面ファスナーやボタン等を用いることもできる。
【００２５】
取付バンド６１，６２は、枕９２への取付手段として伸縮性を有するゴムバンドである。取付バンド６１，６２は、それぞれの両端が長辺３１と長辺３２において後述する縁取りテープ８５，８６により固定される。取付バンド６１，６２は、第二生地３０において第一生地２０に接する面と反対側である外側の面においてそれぞれの両端が固定されるが、取付バンド６１，６２をそれぞれ短辺３３，３４に通して反対面に持っていくことにより、その拘束面は第二生地３０側または外生地７０側いずれを選択することもできる（図１，図７参照）。
【００２６】
外生地７０は、第一生地２０と対応する大きさで第二生地３０と反対の第一生地２０の面に設けられる柔軟な布地である（図２，図５参照）。外生地７０の好適な布地として枕カバーとして一般的に使用されるような綿布が挙げられるが、これに限らず使用することができる。例えば、吸水性または防水性を持たせたり、保温性や肌触りの質感等を考慮して選択するとよい。外生地７０は、第一生地２０の長辺２１，２２および短辺２３，２４に縫いつけられるが、これは第二生地３０および脱落防止生地５０も含んで一体的に縫いつけられる縁取りテープ８５〜８８により行われる。なお、外生地７０に相当する布地を第二生地３０および脱落防止生地５０に設けてもよい。その場合は、第二生地３０および脱落防止生地５０のうち第一生地２０に接する面と反対側である外側の面に外生地７０に相当する布地を設けることとなる。また、吸水性または防水性に富む布地を第一生地２０，第二生地３０，脱落防止生地５０のうち保冷パック９１に接する面に設け、保冷パック９１から発生する結露による水滴の吸水や防水を行うこととしてもよい。
【００２７】
保冷パック取付用枕パッド１の４つの端辺は、縁取りテープ８５〜８８により、第一生地２０，第二生地３０，脱落防止生地５０，外生地７０が一体的に縫製される。また、第二生地３０の切欠き３５にも縁取りテープ８９が縫いつけられ（図１，図４，図５）、脱落防止生地５０における切欠き３５側との逆端には縁取りテープ９０が縫いつけられる（図３参照）。これら縁取りテープ８５〜９０は伸縮性を有する立体編物である第一生地２０、第二生地３０および脱落防止生地５０の端末処理および伸び止めとしても作用する。
【００２８】
保冷パック取付用枕パッド１の使用について説明する。図６に示す通り、取付バンド６１，６２に枕９２を通して保冷パック取付用枕パッド１を取り付ける。ポケット４０には保冷パック９１を入れる。保冷パック９１としては冷感のあるものが挙げられるが、これに限らず、温感のあるものを用いることもできる。保冷パック９１はミシン目８１〜８３により三方向が規制されるが、切欠き３５側が自由なままなので、これを小ポケット５１により規制し保冷パック９１の脱落防止手段とする。また、図７に示すように、取付バンド６１，６２をそれぞれ短辺２３，２４を通して外生地７０側に拘束面を設けるようにすれば、枕９２に取り付けたときに第二生地３０が使用者との接触面となる。
【００２９】
保冷パック取付用枕パッド１の保冷効果を評価するための試験結果について説明する。
【００３０】
試験方法は、保冷パック９１を試料として、これを一晩冷凍庫に放置した後、保冷パック取付用枕パッド１に入れ、熱電対温度センサーを試料表面の中央部に取り付けて試験体とする。室温３０℃、湿度６０％ＲＨの環境下に設定した恒温恒湿器の中に試験体を入れ、その後の温度変化を３０分毎に６時間測定した。また、対照のブランクとして試料を一晩冷凍庫に放置した後、保冷パック取付用枕パッド１に入れない状態で恒温恒湿器の中に入れ、同様に温度測定を行った。なお、恒温恒湿器の中に試験体を入れた時点より測定開始とした。試験結果は表１およびこれをグラフ化した図８に示す。
【００３１】
【表１】
2013150726.tif 000003
【００３２】
表１および図８より、保冷パック取付用枕パッド１に入れた試料は、保冷パック取付用枕パッド１に入れないブランクに比べて、より保冷されることが分かる。
【００３３】
以下、保冷パック取付用枕パッド１の効果について説明する。保冷パック取付用枕パッド１によれば、簡便に保冷パック９１を枕に取り付けることができる。ポケット４０および小ポケット５１は市販の保冷パック９１の大きさを考慮して大きめに設けてあるため、小さなものから大きなものまで多くの市販の保冷パック９１に対応でき、また、小型の保冷パック９１を複数個用いることもできる。このように保冷パック９１の取付けの自由度が高いため、枕取付けのための専用の保冷パックとそれに対応した専用の取付け具を用意することなく、任意の保冷パック９１を用いることができる。一方で、ポケット４０および小ポケット５１により保冷パック９１の取付け位置を一定程度規制して安定させることができ、ポケット４０および小ポケット５１は長辺２１，３１側に近く、長辺２２，３２側からは遠く設けられているため、保冷パック９１の位置を頭頂部方向に近付けるか、頚部方向に近づけるかを使用者の選択に任せることができる。
【００３４】
第一生地２０、第二生地３０および脱落防止生地５０を立体編物により構成しているため、保冷パック取付用枕パッド１全体の通気性が良好である上に、保冷パック９１のまわりに空気の層を形成し一定の保冷性能を確保することができる。立体編物は適度な弾力性を有し、肌触りも良いため、使用者に接触する枕パッドとして適する。
【００３５】
取付バンド６１，６２をそれぞれ枕９２の短辺側に通すことにより、枕９２への取付けを容易に行うことができる。また、取付バンド６１，６２は長辺方向において筒状を形成するため、これを枕９２に通すことにより、枕９２の長辺方向のサイズを問わず取付け可能となる。例えば、ダブルサイズの枕に二つの保冷パック取付用枕パッド１を取り付けることも可能である。
【００３６】
使用状態においては外生地７０が使用者に触れる面となるため、これを枕カバーとして一般的に用いられるような布地とすれば、普段の枕の使用感に近づけることができる。一方で、取付バンド６１，６２の拘束面の向きの選択により、外生地７０のみならず第二生地３０側を接触面とすることもできるため、第二生地３０の立体編物の良好な肌触りを生かすこともできる。このとき、外生地７０を吸水性や遮水性を有する布地とすれば、保冷パック９１に起因する結露が枕９２に及ぶことを防ぐことができる。つまり、外生地７０および第二生地３０の材質の違いを生かして使用者は好みに応じて選択することができる。
【００３７】
保冷パック取付用枕パッド１は以上のような機能を有する上に、構造が簡易であるため生産コストが低く、また使用者における洗濯等のメインテナンスも容易であるため、手軽に使用することができる。
【００３８】
なお本発明は、上述の実施の形態に限定されるものではなく、本発明の技術的思想を逸脱しない範囲において、改変等を加えることが出来るものであり、それらの改変、均等物等も本発明の技術的範囲に含まれることとなる。特に実施例で示した各寸法は一例にすぎず、これらに限らず設定することが可能である。
【産業上の利用可能性】
【００３９】
本発明に係る保冷パック取付用枕パッドは、任意の枕に任意の保冷パックを簡易に取り付けることに貢献する。
【符号の説明】
【００４０】
１・・・保冷パック取付用枕パッド
２０・・・第一生地
３０・・・第二生地
４０・・・ポケット
５０・・・脱落防止生地
６１，６２・・・取付バンド
８１〜８４・・・ミシン目
８５〜９０・・・縁取りテープ
９１・・・保冷パック
９２・・・枕
【図１】
2013150726.tif 000004
【図２】
2013150726.tif 000005
【図３】
2013150726.tif 000006
【図４】
2013150726.tif 000007
【図５】
2013150726.tif 000008
【図６】
2013150726.tif 000009
【図７】
2013150726.tif 000010
【図８】
2013150726.tif 000011